(57)【要約】【課題】階段構造を有するペットボックスを提供する。【解決手段】本発明の階段構造を有するペットボックスは、ボックス体の内部に空間を有し、前記ボックス体の外表面の一側には階段構造を有する。出入用開口部は前記ボックス体に形成されると共に前記空間に連通される。これにより、ペットが前記階段構造から前記空間内に入るように導かれるか、或いは前記空間内から出るように導かれる。こうして、ペットが前記ペットボックスに自主的に出入りしやすくする効果を達成させる。【選択図】図１
2019068746.tif 000002
【特許請求の範囲】
【請求項１】
ボックス体の内部には空間を有し、前記ボックス体の外表面の一側には階段構造を有し、出入用開口部は前記ボックス体に形成されると共に前記空間に連通されることを特徴とする階段構造を有するペットボックス。
【請求項２】
前記出入用開口部は前記ボックス体の頂部に位置されると共に前記階段構造に隣接することを特徴とする請求項１に記載の階段構造を有するペットボックス。
【請求項３】
前記ボックス体に装設されると共に前記出入用開口部に対して可動状となるドアパネルを更に備え、前記出入用開口部は傾斜状であることを特徴とする請求項２に記載の階段構造を有するペットボックス。
【請求項４】
前記ボックス体は第一ボックス部及び第二ボックス部を含み、前記第一ボックス部の軸方向の内部は貫通される第一空間部であり、前記第一ボックス部の外側面には階段部を有し、前記第二ボックス部の軸方向の内部は第二空間部であり、且つ前記第二空間部は底面を有し、前記第一ボックス部は前記第二ボックス部の上方に装設され、前記第一空間部は前記第二空間部に連通され、前記階段部が前記第二ボックス部に連結されることにより前記階段構造が形成されることを特徴とする請求項１に記載の階段構造を有するペットボックス。
【請求項５】
前記第一ボックス部の前記階段部と前記第二ボックス部との間に配置される接合部材を更に備え、前記第一ボックス部及び前記第二ボックス部は前記接合部材により接合されることを特徴とする請求項４に記載の階段構造を有するペットボックス。
【請求項６】
前記ボックス体は第一ボックス部及び第二ボックス部を含み、前記第一ボックス部の一側は第一開放側であり、他側は第一外周部であり、前記第一開放側と前記第一外周部との間には第一底面を有し、前記第一開放側と前記第一外周部との間には第一半出入用開口部を有し、前記第一半出入用開口部は前記第一底面に対向し、前記第一開放側と前記第一外周部との間には第一半階段構造を有し、前記第一半階段構造の両端は前記第一半出入用開口部及び前記第一底面に連接され、前記第二ボックス部の一側は第二開放側であり、他側は第二外周部であり、前記第二開放側と前記第二外周部との間には第二底面を有し、前記第二開放側と前記第二外周部との間には第二半出入用開口部を有し、前記第二半出入用開口部は前記第二底面に対向し、前記第二開放側と前記第二外周部との間には第二半階段構造を有し、前記第二半階段構造の両端は前記第二半出入用開口部及び前記第二底面に連接され、前記第一開放側は前記第二開放側に対応すると共に結合され、則前記第一ボックス部及び前記第二ボックス部の組み合わせられた内部には前記空間が形成され、前記第一半出入用開口部及び前記第二半出入用開口部の組み合わせにより前記出入用開口部が形成され、前記第一半階段構造及び前記第二半階段構造の組み合わせにより前記階段構造が形成されることを特徴とする請求項１に記載の階段構造を有するペットボックス。
【請求項７】
前記第一開放側と前記第二開放側との間に配置されると共に前記第一ボックス部及び前記第二ボックス部の接合に用いられる少なくとも１つの接合部材を更に含むことを特徴とする請求項６に記載の階段構造を有するペットボックス。
【請求項８】
前記第一ボックス部及び前記第二ボックス部の接合箇所に位置される孔部を更に備えることを特徴とする請求項４または６に記載の階段構造を有するペットボックス。
【請求項９】
前記ボックス体の表面に分布される複数の通気孔を更に含むことを特徴とする請求項１に記載の階段構造を有するペットボックス。
【請求項１０】
複数のキャスター及びハンドルを更に備え、各前記キャスターは前記ボックス体の底部に装設され、前記ハンドルは前記ボックス体の外側の表面に装設されることを特徴とする請求項１に記載の階段構造を有するペットボックス。
【発明の詳細な説明】
【技術分野】
【０００１】
本発明は、ペット用品の技術分野に関し、より詳しくは、階段構造を有するペットボックス（Pet Box With Step Structure）に関する。
【背景技術】
【０００２】
一般的なペットボックスの多くは手提げ式である。飼い主の負担を減らすため、前記ペットボックスの材料の多くはプラスチック材料で製造されており、且つ前記ペットボックスの体積が小さくなっている。ペットにとっては、ペットボックスの狭い空間に進入することは不便である。さらには、小さな体積のペットボックスの内部には狭い空間しか設けられないため、ペットは臥せた姿勢でボックス体内で動かずにいなければならなかった。
【発明の概要】
【発明が解決しようとする課題】
【０００３】
ペットキャリーカートによって、手提げ式ペットボックスは持つのに力が必要で不便であるという問題、及び手提げ式ペットボックスの内部空間が狭すぎるという問題を解決させることもできるが、しかしながら、ペットキャリーカートを使用する場合、飼い主がペットを抱き上げてペットキャリーカートに入れ、ペットを抱き上げてキャリーカートから出さなければならない。換言すれば、飼い主が助けねばペットが出入りできない。
【０００４】
また、ペットキャリーカートは開放式の構造となっているため、ペットが外界に触れることができるが、但し、ペットが驚いたりするとキャリーカートから勝手に飛び出してしまうことがあった。
【０００５】
そこで、本発明者は上記の欠点が改善可能と考え、鋭意検討を重ねた結果、合理的設計で上記の課題を効果的に改善する本発明の提案に到った。
【０００６】
本発明は、以上の実情に鑑みなされたものであって、上記課題解決のため、本発明は、階段構造を有するペットボックスを提供することを主目的とする。すなわち、ペットが従来のペットボックスまたはペットキャリーカートに出入りするのは不便であるという問題を解決させる。
【課題を解決するための手段】
【０００７】
上述した課題を解決し、目的を達成するために、本発明に係る階段構造を有するペットボックスは、ボックス体の内部に空間を有し、前記ボックス体の外表面の一側には階段構造を有する。出入用開口部は前記ボックス体に形成されると共に前記空間に連通される。
【０００８】
これにより、ペットが前記階段構造から前記空間内に入るように導かれ、または前記空間内から出るように導かれる。
【発明の効果】
【０００９】
本発明によれば、ペットがボックス体内部に進入するように導かれ、飼い主がペットを抱き上げずとも、ペットが出入り可能になる効果を達成させる。また、階段構造のペットボックスは、移動が便利になるという効果を有する。
【図面の簡単な説明】
【００１０】
【図１】本発明の第１実施形態による階段構造を有するペットボックスを示す外観斜視図である。
【図２】本発明の第２実施形態による階段構造を有するペットボックスを示す外観斜視図である。
【図３】本発明の第２実施形態による階段構造を有するペットボックスを示す分解図である。
【図４】本発明の第２実施形態による階段構造を有するペットボックス構成を示す概略図である。
【図５】本発明の第３実施形態による階段構造を有するペットボックスを示す分解図である。
【図６】本発明の第３実施形態による階段構造を有するペットボックスを示す外観斜視図である。
【発明を実施するための形態】
【００１１】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施形態】
【００１２】
（第１実施形態）
以下、図１〜６を参照しながら、本発明をさらに詳しく説明する。まず、図１は発明の第１実施形態を示す外観斜視図である。図１から分かるように、ボックス体１０の外表面の一側には階段構造１２を有する。前記ボックス体１０の内部には空間１４を有する。前記ボックス体１０の頂部には出入用開口部１６を有し、前記出入用開口部１６は傾斜状を呈して前記階段構造１２に隣接する。ドアパネル１８は前記ボックス体１０に開くように枢着される。前記ドアパネル１８が閉められると前記出入用開口部１６が蓋をされる。次いで、ハンドル２０は前記ボックス体１０の外側の表面に配置される。複数のキャスター２２は前記ボックス体１０の底部に配置されて地面と接触する。
【００１３】
ペットは前記階段構造１２によって前記出入用開口部１６に向けて移動すると共に前記空間１４内に入ることができる。使用者は前記ハンドル２０を利用して前記ボックス体１０を押し引きすることで、前記ボックス体１０内のペットを一緒に移動させることができる。
【００１４】
また、前記ボックス体１０に前記ハンドル２０及び各前記キャスター２２を装設させなくてもよい。これにより、前記ボックス体１０がペットハウスとなる。前記階段構造１２は前記ペットを前記出入用開口部１６に向けて移動させて前記空間１４内に入れるのに役立つ。
【００１５】
（第２実施形態）
本発明の第２実施形態の構成を図２から図４に示す。本実施形態のボックス体３０は第一ボックス部３２及び第二ボックス部３４の組み合わせを含む。前記第一ボックス部３２はほぼ環状を呈し、且つ前記第一ボックス部３２の軸方向の内部は貫通される第一空間部３６となる（図３参照）。前記第一ボックス部３４の外側面には階段部３８が形成される。前記第二ボックス部３４はほぼ溝状構造を呈する。前記第二ボックス部３４の軸方向の内部は第二空間部４０であり、且つ前記第二空間部４０は底面４２を有する。
【００１６】
前記第一ボックス部３２は前記第二ボックス部３４の上方に装設される。前記第一空間部３６は前記第二空間部４０に連通されて空間４１が形成される（図４参照）。前記階段部３８は前記第二ボックス部３４に連結されて階段構造４４が形成される。更には、本実施形態の前記第一ボックス部３２には接合部材４６が組み合わせられて前記第二ボックス部３４が接合される。前記接合部材４６は前記第一ボックス部３２の前記階段部３８と前記第二ボックス部３４との間に配置される。前記接合部材４４はジッパー、締め金、または留め金でもよい。
【００１７】
（第３実施形態）
図５及び図６は本発明の第３実施形態である。図面から分かるように、本実施形態のボックス体５０は、第一ボックス部５２及び第二ボックス部５４の組み合わせを含む。また、前記第一ボックス部５２の一側は第一開放側５６であり、他側は第一外周部５８である。前記第一開放側５６と前記第一外周部２８との間の底部方向には第一底面６０を有する。前記第一開放側５６と前記第一外周部５８との間の頂部方向には第一半出入用開口部６２を有する。前記第一半出入用開口部６２は前記第一底面６０に対向する。前記第一開放側５６と前記第一外周部５８との間には第一半階段構造６４を有する。前記第一半階段構造６４の両端は前記第一半出入用開口部６２及び前記第一底面６０に連接される。
【００１８】
前記第二ボックス部５４の一側は第二開放側６６であり、他側は第二外周部６８である。前記第二開放側６６と前記第二外周部６８との間の底部方向には第二底面７０を有する。前記第二開放側６６と前記第二外周部６８との間の頂部方向には第二半出入用開口部７２を有する。前記第二半出入用開口部７２は前記第二底面７０に対向する。前記第二開放側６６と前記第二外周部６８との間には第二半階段構造７４を有する。前記第二半階段構造７４の両端は前記第二半出入用開口部７２及び前記第二底面７０に連接される。
【００１９】
前記第一開放側５６は前記第二開放側６６に対応して結合され、前記第一ボックス部５２及び前記第二ボックス部５４が結合されて前記ボックス体５０が形成されると共にその内部には空間７３が形成される。前記第一半出入用開口部６２及び前記第二半出入用開口部７２の組み合わせにより出入用開口部７５が形成される。前記第一半階段構造６４及び前記第二半階段構造７４の組み合わせにより階段構造７６が形成される。ドアパネル７８は前記ボックス体５０に配置されると共に前記出入用開口部７５に対して開閉状態を形成させる。
【００２０】
更に具体的には、本実施形態では、前記第一開放側５６と前記第二開放側６６との間に配置されると共に前記第一ボックス部５２及び前記第二ボックス部５４を連結させるための少なくとも１つの接合部材８０を備える。前記接合部材８０として、ジッパー、締め金、または留め金が選択される。
【００２１】
さらに、孔部８２は前記第一ボックス部５２及び前記第二ボックス部５４の接合箇所に形成される。例えば、前記孔部８２が前記階段構造７６の最下段の端面に位置される。更に詳しくは、通気用部材８４が使用され、例えば、メッシュがボックス体５０に配置されると共に前記孔部８２に対して遮蔽状態を形成させる。
【００２２】
なお、各実施形態で述べる前記ボックス体１０、３０及び５０の表面には複数の通気孔８６が開設されてもよい。各前記通気孔８６と前記ボックス体１０、３０、５０内の空間１４、４１、７３とは連通される。
【００２３】
各実施形態で述べるドアパネルはメッシュ状生地で代替してもよく、且つ前記メッシュ状生地に適切なジッパーまたはファスナーが組み合わせられて前記ボックス体に結合される。また、前記ボックス体は適切な製造方式により一体成形されてもよい。
【００２４】
上述したように、本発明に係るペットボックスは移動が便利であるほか、ペットの習性に合わせて、飼い主がペットを抱き上げずとも、ペット方が出入り可能になる機能を提供する。
【００２５】
以上、本発明の実施形態について図面を参照して詳述したが、具体的な構成はこの実施形態に限られるものではなく、本発明の要旨を逸脱しない範囲の設計変更等も含まれる。
【符号の説明】
【００２６】
１０  ボックス体
１２  階段構造
１４  空間
１６  出入用開口部
１８  ドアパネル
２０  ハンドル
２２  キャスター
３０  ボックス体
３２  第一ボックス部
３４  第二ボックス部
３６  第一空間部
３８  階段部
４０  第二空間部
４１  空間
４２  底面
４４  接合部材
５０  ボックス体
５２  第一ボックス部
５４  第二ボックス部
５６  第一開放側
５８  第一外周部
６０  第一底面
６２  第一半出入口部
６４  第一半階段構造
６６  第二開放側
６８  第二外周部
７０  第二底面
７２  第二半出入口部
７３  空間
７４  第二半階段構造
７５  出入用開口部
７６  階段構造
７８  ドアパネル
８０  接合部材
８２  孔部
８４  通気用部材
８６  通気孔
【図１】
2019068746.tif 000003
【図２】
2019068746.tif 000004
【図３】
2019068746.tif 000005
【図４】
2019068746.tif 000006
【図５】
2019068746.tif 000007
【図６】
2019068746.tif 000008